【事件の表示】
　平成８年特許願第１６９０９５号「液晶表示装置」拒絶査定不服審判事件〔平成９年８月５日出願公開、特開平９−２０３９０７〕について、次のとおり審決する。
【結　論】
　本件審判の請求は、成り立たない。
【理　由】
１　手続の経緯
　本願は、平成８年６月２８日（優先権主張平成７年１１月２０日）の出願であって、平成１５年１月２３日付で拒絶査定がなされ、これに対し、平成１５年３月６日付で拒絶査定に対する審判請求がなされるとともに、同年４月７日付で手続補正がなされたものである。
　
２　平成１５年４月７日付の手続補正についての補正却下の決定
［補正却下の決定の結論］
　平成１５年４月７日付の手続補正（以下、「本件補正」という。）を却下する。
［理由］
２．１　補正の内容
　平成１５年４月７日付の手続補正の内容には、請求項１を以下のとおりに補正することが含まれる。
「液晶表示パネルと、該液晶表示パネルの走査電極取り出し側の辺に沿って外側に前記液晶表示パネルとほぼ同一面上に設けられた走査側駆動用回路基板と、前記液晶表示パネルのデータ電極取り出し側の辺に沿って外側に前記液晶表示パネルとほぼ同一面上に設けられたデータ側駆動用回路基板とを有する液晶表示装置において、
　前記走査側駆動用回路基板は、前記液晶表示パネルの走査電極取り出し側の辺とほぼ同じ長さを有し、
　前記データ側駆動用回路基板は、前記液晶表示パネルのデータ電極取り出し側の辺とほぼ同じ長さを有し、
　前記走査側駆動用回路基板の長手方向の端部近傍に形成された接続端子と前記データ側駆動用回路基板の長手方向の端部近傍に形成された接続端子とは、フレキシブル配線基板を介して電気的に接続され、
　前記フレキシブル配線基板は、前記走査側駆動用回路基板の接続端子に接続されるとともに前記液晶表示パネルに向かって前記走査電極取り出し側の辺と略直交する方向に延びる第１直線部と、前記データ側駆動回路基板の接続端子に接続されるとともに前記液晶表示パネルに向かって前記データ電極取り出し側の辺と略直交する方向に延びる第２直線部と、該第１および第２直線部がそれぞれ延びる方向と交差する方向に延びて傾斜して形成されて該第１直線部と該第２直線部とを接続する屈曲部とを有して成り、その一部が前記液晶表示パネルのコーナー部と重なるように配設されることを特徴とする液晶表示装置。」
　
２．２　補正の目的
　上記補正により、補正前に「該コーナー部の突出方向とは反対方向に屈曲して形成されている」とあったものが、「前記走査側駆動用回路基板の接続端子に接続されるとともに前記液晶表示パネルに向かって前記走査電極取り出し側の辺と略直交する方向に延びる第１直線部と、前記データ側駆動回路基板の接続端子に接続されるとともに前記液晶表示パネルに向かって前記データ電極取り出し側の辺と略直交する方向に延びる第２直線部と、該第１および第２直線部がそれぞれ延びる方向と交差する方向に延びて傾斜して形成されて該第１直線部と該第２直線部とを接続する屈曲部とを有して成り、」となった。
　これは、請求項１に記載の発明を特定するために必要な事項である「フレキシブル配線基板」について、その形状を具体化するものであり、またそのことにより、発明の産業上の利用分野及び解決しようとする課題が変更されることもないから、上記補正は、特許法第１７条の２第４項第２号の特許請求の範囲の減縮を目的とするものである。
　そこで、本件補正後の請求項１に記載された発明（以下、「本願補正発明」という。）が、特許出願の際独立して特許を受けることができるものであるか（特許法第１７条の２第５項において準用する同法第１２６条第４項の規定に適合するか）について以下に検討する。
　
２．３　本願補正発明の認定
　本願補正発明は、平成１５年４月７日付手続補正書の請求項１に記載された事項により特定される次のとおりのものである。
「液晶表示パネルと、該液晶表示パネルの走査電極取り出し側の辺に沿って外側に前記液晶表示パネルとほぼ同一面上に設けられた走査側駆動用回路基板と、前記液晶表示パネルのデータ電極取り出し側の辺に沿って外側に前記液晶表示パネルとほぼ同一面上に設けられたデータ側駆動用回路基板とを有する液晶表示装置において、
　前記走査側駆動用回路基板は、前記液晶表示パネルの走査電極取り出し側の辺とほぼ同じ長さを有し、
　前記データ側駆動用回路基板は、前記液晶表示パネルのデータ電極取り出し側の辺とほぼ同じ長さを有し、
　前記走査側駆動用回路基板の長手方向の端部近傍に形成された接続端子と前記データ側駆動用回路基板の長手方向の端部近傍に形成された接続端子とは、フレキシブル配線基板を介して電気的に接続され、
　前記フレキシブル配線基板は、前記走査側駆動用回路基板の接続端子に接続されるとともに前記液晶表示パネルに向かって前記走査電極取り出し側の辺と略直交する方向に延びる第１直線部と、前記データ側駆動回路基板の接続端子に接続されるとともに前記液晶表示パネルに向かって前記データ電極取り出し側の辺と略直交する方向に延びる第２直線部と、該第１および第２直線部がそれぞれ延びる方向と交差する方向に延びて傾斜して形成されて該第１直線部と該第２直線部とを接続する屈曲部とを有して成り、その一部が前記液晶表示パネルのコーナー部と重なるように配設されることを特徴とする液晶表示装置。」
　
２．４　引用例
　原査定の拒絶理由に引用された、本願の優先権主張の日前の他の出願であって、その出願後に出願公開された特願平７−２７８６２９号の願書に最初に添付した明細書及び図面（以下、「先願明細書」という。特開平９−１２００７９号公報を参照。）には、次の事項が記載されている。
（１）「【０００１】
【発明の属する技術分野】本発明は、情報処理装置の情報や画像を出力する表示部や、情報を伝達する装置の情報や画像を表示する表示部に使用される液晶表示装置に関する。特に液晶表示装置の表示領域に対して、液晶表示素子を駆動する駆動回路を設ける領域を有する液晶表示装置に関する。」（段落【０００１】）
（２）「【００１０】図３は、本発明による液晶表示装置の実施の形態の斜視図である。液晶表示素子１００の周辺には、プリント配線基板６００Ａ、６００Ｂ、６１０が配置され、プリント配線基板と液晶表示素子とはテープキャリア方式で形成された半導体ＩＣ２００Ａ、２００Ｂ、２５０を介して接続される。プリント配線基板が接続された液晶表示素子は、枠状のモールド８００に保持され上側ケース３５０と下側ケース３００とに挟まれて収納される。上側ケース３５０と下側ケース３００とを固定するために、それぞれ固定部３６０、３１０が設けられる。・・・液晶表示素子の角部Ａには、プリント配線基板６００Ｂと６１０とを電気的に接続するフレキシブル配線基板７００が設けられる。
【００１１】図４は本発明による液晶表示装置に使用される液晶表示素子の概略構成を示す斜視図である。図４において１２０はセグメント電極基板、１１０はコモン電極基板、１４０はセグメント電極、１３０はコモン電極、１７０はシール材である。コモン電極基板１１０は略長方形をした、ガラス等の透明基板で構成され、帯状の透明電極からなる複数のコモン電極１３０が形成される。
【００１２】またセグメント電極基板は１２０、同じく略長方形をした、ガラス等の透明基板から構成され、セグメント電極基板の上に帯状の透明電極からなるセグメント電極１４０が形成される。・・・
【００１６】コモン電極１３０、セグメント電極１２０は、それぞれコモン電極基板１１０、セグメント電極基板１２０の辺部にまで延在しており、駆動回路と電気的に接続するための外部接続端子１５０、１６０を形成する。
【００１７】液晶表示素子１００は、前述したように略長方形のコモン電極基板１１０、セグメント電極基板１２０をコモン電極１３０とセグメント電極１２０が交差するように重ね合せ、コモン電極、セグメント電極それぞれを延在した位置に外部接続電極１５０、１６０が設けられるため、図３に示すように、液晶表示素子を駆動する駆動用ＩＣ２００Ａ、２００Ｂ、２５０、プリント配線基板６００Ａ、６００Ｂ、６１０は液晶表示素子の少なくとも２辺の周辺に設けられることになる。この２辺に設けられたプリント配線基板を電気的に接続するのに、フレキシブル基板７００が使用される。
【００１８】図５に本発明によるフレキシブル配線基板の表から見た平面図を、図６に本発明によるフレキシブル配線基板の表から見た平面図を示す。このフレキシブル配線基板７００は、柔軟性を有する基板に導体で配線を形成したもので、図５、図６には、柔軟性を有する基板７６０の表と裏に２層の配線７１０が形成されている。図７に図６中Ｂ−Ｂ´線で切断した断面図を示す。２層の配線７１０は、端子部７２０で２層の配線間の導通がとられ、この端子部７２０で半田付けによりプリント配線基板に接続される。
【００１９】図８に図３の液晶表示素子の隣接する２辺が作る角部を拡大した斜視図を示す。図８は液晶表示素子１００に駆動用ＩＣ２００Ｂ、２５０をテープキャリア方式で実装し、駆動用ＩＣ２００Ｂ、２５０をプリント基板回路６００Ｂ、６１０に接続し、プリント基板回路６００Ｂと６１０とをフレキシブル配線基板７００で接続し、モールド８００で上記駆動回路を実装した液晶表示素子を保持し、上側ケース３６０、下側ケース３００に収納する様子を示す。
【００２０】図８において、まず、液晶表示装置の外枠体の一部を構成する下側ケース３００がある。そして、この下側ケース３００は、その角部において後述する上側ケースとの固定を図るための固定部３１０が備えられた箱形状をなしたものとなっている。
【００２１】さらに、プリント配線基板６１０と液晶表示素子１００との間には、たとえばテープキャリア方式で形成された半導体ＩＣからなるコモン電極駆動回路２５０が配置され、そのコモン電極駆動回路２５０の電極端子は、その一方において前記コモン基板１１０の外部接続端子１５０に接続されているとともに、他方においてコモン側プリント配線基板６１０上の電極端子に接続されている。
【００２２】また、液晶表示素子１００のセグメント基板の外部接続端子側の辺において、セグメント側プリント配線基板６００Ｂが配置されている。さらに、このセグメント側プリント配線基板６００Ｂと液晶表示素子１００との間には、たとえばテープキャリア方式で形成された半導体ＩＣからなるセグメント電極駆動回路２００Ｂが配置され、そのセグメント電極駆動回路２００Ｂの電極端子は、その一方において前記セグメント基板１２０の外部接続端子１６０に接続されている。
【００２３】ここで、プリント配線基板６１０と６００Ｂはそれぞれ別体となっているとともに、その長手方向における端部は下側ケース３００の固定部３１０に当接する程度にまで及んで形成されている。各配線基板６１０、６００Ｂのそれぞれの面積を所定の値以上に確保するともに、その幅をできるだけ小さくしようとすると、その長さは該固定部３１０に当接する程度にまで及んでしまうからである。
【００２４】そして、これら各プリント配線基板６１０と６００Ｂは電気的に接続される必要があり、その接続をフレキシブル配線基板７００を介して行っている。
【００２５】図１に図３のＡ部拡大図を示す。フレキシブル配線基板７００は、固定部３１０に当接しないように配置されているが、フレキシブル配線基板７００は、液晶表示素子１００の２辺の作る角に沿うように曲がって形成され、一部が液晶表示素子１００の非表示部１８０と重なっている。
【００２６】フレキシブル配線基板７００の配線が液晶表示素子と重なるようにして配置されている理由は、下側ケース３００の固定部３００Ａとこの固定部３００Ａに近接する液晶表示素子１００との限られたスペースを有効に利用するためには、該フレキシブル配線基板７００の上述したような配置が最も効果的となるからである。ただし液晶表示素子１００には表示領域１９０があり、この表示領域１９０にフレキシブル配線基板７００が重なると表示装置としての美観が損なわれるためにフレキシブル配線基板７００が表示領域１９０に重ならないようにする必要がある。・・・
【００３０】以上説明したことから明らかなように、本発明による液晶表示装置によれば、そのフレキシブル配線基板は、液晶表示素子と重なるように配置されている。このため、下側ケースの固定部とこの固定部に近接する液晶表示基板との限られたスペースを有効に利用できるようになる。」（段落【００１０】〜【００３０】）
（３）「【００３１】
【発明の効果】このように構成した液晶表示装置によれば、接続配線基板は、液晶表示素子の角部における配線が、液晶表示素子と重なって配置されるので、液晶表示素子の角部に接続配線基板以外の部材を設けることができる。このため、液晶表示素子の角部に近接する液晶表示素子との限られたスペースを有効に利用できるようになる。
【００３２】また液晶表示素子と液晶表示素子を収納するケースの額縁の幅を大きくする必要がなくなり、従って、その幅を従来よりも小さくできる効果を奏するようになる。」（段落【００３１】〜【００３２】）
（４）プリント配線基板６００Ａ、６００Ｂ、６１０が、液晶表示素子１００の外部接続端子１５０、１６０を取り出す側の辺に沿って外側に前記液晶表示素子１００とほぼ同一面上に設けられていることが、図１、３、４、８から看取される。
（５）プリント配線基板６００Ａ、６００Ｂ、６１０は、それらが各々に隣接する液晶表示素子１００のパネルの外部接続端子１５０、１６０を取り出す側の辺と、ほぼ同じ長さであることが、図３から看取される。
　
２．５　対比、判断
　本願補正発明と先願明細書の記載事項とを対比する。
（ａ）先願明細書に記載の「液晶表示素子１００」は、本願補正発明の「液晶表示パネル」に相当する。
（ｂ）先願明細書に記載の「コモン基板１１０の外部接続端子１５０」は、本願補正発明の「液晶表示パネルの走査電極」に相当する。
（ｃ）先願明細書に記載の「コモン側プリント配線基板６１０」は、本願補正発明の「該液晶表示パネルの走査電極取り出し側の辺に沿って外側に前記液晶表示パネルとほぼ同一面上に設けられた走査側駆動用回路基板」に相当する。
（ｄ）先願明細書に記載の「セグメント基板１２０の外部接続端子１６０」は、本願補正発明の「液晶表示パネルのデータ電極」に相当する。
（ｅ）先願明細書に記載の「セグメント側プリント配線基板６００Ｂ」は、本願補正発明の「前記液晶表示パネルのデータ電極取り出し側の辺に沿って外側に前記液晶表示パネルとほぼ同一面上に設けられたデータ側駆動用回路基板」に相当する。
（ｆ）先願明細書に発明の実施の形態として記載された液晶表示装置は、液晶表示素子１００（液晶表示パネル）と、コモン側プリント配線基板６１０（走査側駆動用回路基板）と、セグメント側プリント配線基板６００Ｂ（データ側駆動用回路基板）とを有するものであることが明らかである。
（ｇ）先願明細書に記載のコモン側プリント配線基板６１０（走査側駆動用回路基板）及びセグメント側プリント配線基板６００Ｂ（データ側駆動用回路基板）は、図３からわかるように、それぞれ液晶表示素子１００（液晶表示パネル）の走査電極（外部接続端子１５０）及びデータ電極（外部接続端子１６０）の取り出し側の辺とほぼ同じ長さを有している。
（ｈ）先願明細書に記載の「フレキシブル配線基板７００」は、本願補正発明の「フレキシブル配線基板」に相当する。
（ｉ）先願明細書に載された液晶表示装置では、図１等から明らかなように、コモン側プリント配線基板６１０（走査側駆動用回路基板）の長手方向の端部近傍に形成された接続端子とセグメント側プリント配線基板６００Ｂ（データ側駆動用回路基板）の長手方向の端部近傍に形成された接続端子とが、フレキシブル配線基板７００（フレキシブル配線基板）を介して電気的に接続されている。
（ｊ）先願明細書に記載のフレキシブル配線基板７００（フレキシブル配線基板）は、図１から明らかなように、コモン側プリント配線基板６１０（走査側駆動用回路基板）と接続されるところが、液晶表示素子１００（液晶表示パネル）に向かって外部接続端子１５０（走査電極）の取り出し側の辺と略直交する方向に延びる直線部を有している。
（ｋ）先願明細書に記載のフレキシブル配線基板７００（フレキシブル配線基板）は、図１から明らかなように、セグメント側プリント配線基板６００Ｂ（データ側駆動用回路基板）と接続されるところから、液晶表示素子１００（液晶表示パネル）に向かって外部接続端子１６０（データ電極）の取り出し側の辺と略直交する方向に延びる直線部を有している。
（ｌ）先願明細書に記載のフレキシブル配線基板７００（フレキシブル配線基板）は、図１から明らかなように、上記（ｊ）及び（ｋ）に記載した二つの直線部がそれぞれ延びる方向と交差する方向に延びて傾斜して形成されて該両直線部間を接続する屈曲部を有している。
（ｍ）先願明細書の段落【００２５】に記載の「フレキシブル配線基板７００は、・・・一部が液晶表示素子１００の非表示部１８０と重なっている。」及び図１からみて、同明細書に載された液晶表示装置では、フレキシブル配線基板７００（フレキシブル配線基板）の一部が液晶表示素子１００（液晶表示パネル）のコーナー部と重なるように配設されているといえる。
　
　以上の（ａ）〜（ｍ）を考慮して、本願補正発明に準じて記載すると、先願明細書には、
「液晶表示パネルと、該液晶表示パネルの走査電極取り出し側の辺に沿って外側に前記液晶表示パネルとほぼ同一面上に設けられた走査側駆動用回路基板と、前記液晶表示パネルのデータ電極取り出し側の辺に沿って外側に前記液晶表示パネルとほぼ同一面上に設けられたデータ側駆動用回路基板とを有する液晶表示装置において、
　前記走査側駆動用回路基板は、前記液晶表示パネルの走査電極取り出し側の辺とほぼ同じ長さを有し、
　前記データ側駆動用回路基板は、前記液晶表示パネルのデータ電極取り出し側の辺とほぼ同じ長さを有し、
　前記走査側駆動用回路基板の長手方向の端部近傍に形成された接続端子と前記データ側駆動用回路基板の長手方向の端部近傍に形成された接続端子とは、フレキシブル配線基板を介して電気的に接続され、
　前記フレキシブル配線基板は、前記走査側駆動用回路基板の接続端子に接続されるとともに前記液晶表示パネルに向かって前記走査電極取り出し側の辺と略直交する方向に延びる第１直線部と、前記データ側駆動回路基板の接続端子に接続されるとともに前記液晶表示パネルに向かって前記データ電極取り出し側の辺と略直交する方向に延びる第２直線部と、該第１および第２直線部がそれぞれ延びる方向と交差する方向に延びて傾斜して形成されて該第１直線部と該第２直線部とを接続する屈曲部とを有して成り、その一部が前記液晶表示パネルのコーナー部と重なるように配設されることを特徴とする液晶表示装置」
の発明が記載されているから、本願補正発明と先願明細書に記載の発明とはすべての点で一致し、両者の間に相違する点はない。
　以上のように、本願補正発明は、先願明細書に記載された発明と同一であり、しかも、本願補正発明の発明者が上記先願明細書に記載された発明の発明者と同一であるとも、また、本願の出願時に、その出願人が上記他の出願人と同一であるとも認められないので、特許法第２９条の２の規定により、特許出願の際独立して特許を受けることができないものである。
　
２．６　むすび
　したがって、本件補正は、特許法等の一部を改正する法律（平成１５年法律第４７条）附則第２条第７項の規定によりなお従前の例によるものとされた同法第１条の規定による改正前の特許法第１７条の２第５項において準用する同法第１２６条第４項の規定に違反するので、特許法第１５９条第１項の規定において読み替えて準用する同法第５３条第１項の規定により却下すべきものである。
　
３　本願発明
３．１　本願発明の認定
　平成１５年４月７日付の手続補正は上記のとおり却下されたので、本願の請求項に係る発明は、平成１４年１２月２日付の手続補正により補正された明細書及び図面の記載からみて、その特許請求の範囲の請求項１〜５に記載された事項により特定されるとおりのものであるところ、請求項１に係る発明(以下、「本願発明」という。)は次のものである。
「液晶表示パネルと、該液晶表示パネルの走査電極取り出し側の辺に沿って外側に前記液晶表示パネルとほぼ同一面上に設けられた走査側駆動用回路基板と、前記液晶表示パネルのデータ電極取り出し側の辺に沿って外側に前記液晶表示パネルとほぼ同一面上に設けられたデータ側駆動用回路基板とを有する液晶表示装置において、
　前記走査側駆動用回路基板は、前記液晶表示パネルの走査電極取り出し側の辺とほぼ同じ長さを有し、
　前記データ側駆動用回路基板は、前記液晶表示パネルのデータ電極取り出し側の辺とほぼ同じ長さを有し、
　前記走査側駆動用回路基板の長手方向の端部近傍に形成された接続端子と前記データ側駆動用回路基板の長手方向の端部近傍に形成された接続端子とは、フレキシブル配線基板を介して電気的に接続され、
　前記フレキシブル配線基板は、その一部が前記液晶表示パネルのコーナー部と重なるように配設されるとともに、該コーナー部の突出方向とは反対方向に屈曲して形成されていることを特徴とする液晶表示装置」
　
３．２　引用例
　原査定の拒絶の理由に引用された先願明細書に記載された事項は、上記２．４に記載したとおりである。
　
３．３　対比、判断
　本願発明をさらに限定した本願補正発明が、上記２．５に記載したとおり、先願明細書に記載された発明と同一であるから、本願発明も、同様の理由により、先願明細書に記載された発明と同一である。
　
３．４　むすび
　以上のとおり、本願発明は、先願明細書に記載された発明と同一であり、しかも、本願発明の発明者が上記先願明細書に記載された発明の発明者と同一であるとも、また、本願の出願時に、その出願人が上記他の出願人と同一であるとも認められないので、特許法第２９条の２の規定により、特許を受けることができないものである。
　
　よって、結論のとおり審決する。